【手続補正書】
【提出日】平成19年4月26日(2007.4.26)
【手続補正１】
【補正対象書類名】明細書
【補正対象項目名】発明の名称
【補正方法】変更
【補正の内容】
【発明の名称】記録再生装置及びその制御方法
【手続補正２】
【補正対象書類名】明細書
【補正対象項目名】特許請求の範囲
【補正方法】変更
【補正の内容】
【特許請求の範囲】
【請求項１】 着脱可能な記録媒体に対して情報を記録再生する記録再生ステップと、
前記記録媒体が装着されているか否かを所定の周期で検知する検知ステップと、
前記記録媒体に対して情報を記録する記録モードと再生する再生モードとを含む複数の動作モードを設定する設定ステップと、
前記動作モードに応じて前記周期を異ならせるように制御する制御ステップとを有することを特徴とする記録再生装置の制御方法。
【請求項２】 前記制御ステップは、前記動作モードが前記記録モードの場合、前記周期を他のモードのときに比べて短くなるように制御することを特徴とする請求項１記載の制御方法。
【請求項３】 前記検知ステップは、前記記録媒体へ命令信号を前記所定の周期で送信し、前記命令信号に対する前記記録媒体からの応答の有無により前記記録媒体が装着されているか否かを検知することを特徴とする請求項１記載の制御方法。
【請求項４】 着脱可能な記録媒体に対して情報を記録再生する記録再生手段と、
前記記録媒体が装着されているか否かを所定の周期で検知する検知手段と、
前記記録媒体に対して情報を記録する記録モードと再生する再生モードとを含む複数の動作モードを設定する設定手段と、
前記動作モードに応じて前記周期を異ならせるように前記検知手段を制御する制御手段とを有することを特徴とする記録再生装置。
【請求項５】 前記制御手段は、前記動作モードが記録モードの場合、前記周期を他のモードのときに比べて短くなるように前記検知手段を制御することを特徴とする請求項４記載の記録再生装置。
【請求項６】 前記検知手段は、前記記録媒体へ命令信号を前記所定の周期で送信し、前記命令信号に対する前記記録媒体からの応答の有無により前記記録媒体が装着されているか否かを検知することを特徴とする請求項４記載の記録再生装置。
【請求項７】 着脱可能な記録媒体に対して情報を記録再生する記録再生ステップと、
前記記録媒体が装着されているか否かを所定の周期で検知する検知ステップと、
前記記録媒体が装着されている場合、前記周期を前記記録媒体が装着されていない場合に比べて短くなるように制御する制御ステップとを有することを特徴とする記録再生装置の制御方法。
【請求項８】 着脱可能な記録媒体に対して情報を記録再生する記録再生手段と、
前記記録媒体が装着されているか否かを所定の周期で検知する検知手段と、
前記記録媒体が装着されている場合、前記周期を前記記録媒体が装着されていない場合に比べて短くなるように前記検知手段を制御する制御手段とを有することを特徴とする記録再生装置。
【手続補正３】
【補正対象書類名】明細書
【補正対象項目名】０００１
【補正方法】変更
【補正の内容】
【０００１】
【発明の属する技術分野】
本発明は、記録再生装置及びその制御方法に関する。
【手続補正４】
【補正対象書類名】明細書
【補正対象項目名】００３６
【補正方法】変更
【補正の内容】
【００３６】
本発明は上述した従来の技術の有するこのような問題点に鑑みてなされたものであり、その第１の目的とするところは、カードにデータを書き込もうとした瞬間にカードが装着してないことに気付いたりして、結果的に撮影の機会を逃してしまう等の失敗を防ぐことが可能な記録再生装置及びその制御方法を提供することにある。
【手続補正５】
【補正対象書類名】明細書
【補正対象項目名】００３７
【補正方法】変更
【補正の内容】
【００３７】
また、本発明の第２の目的とするところは、上述した第１の目的に加えて、システムのコストを削減することが可能な記録再生装置及びその制御方法を提供することにある。
【手続補正６】
【補正対象書類名】明細書
【補正対象項目名】００３８
【補正方法】削除
【補正の内容】
【手続補正７】
【補正対象書類名】明細書
【補正対象項目名】００３９
【補正方法】変更
【補正の内容】
【００３９】
また、本発明の第３の目的とするところは、システムのコストを削減することが可能な記録再生装置及びその制御方法を提供することにある。
【手続補正８】
【補正対象書類名】明細書
【補正対象項目名】００４０
【補正方法】削除
【補正の内容】
【手続補正９】
【補正対象書類名】明細書
【補正対象項目名】００４１
【補正方法】変更
【補正の内容】
【００４１】
【課題を解決するための手段】
上記第１の目的を達成するために、請求項１記載の記録再生装置の制御方法は、着脱可能な記録媒体に対して情報を記録再生する記録再生ステップと、前記記録媒体が装着されているか否かを所定の周期で検知する検知ステップと、前記記録媒体に対して情報を記録する記録モードと再生する再生モードとを含む複数の動作モードを設定する設定ステップと、前記動作モードに応じて前記周期を異ならせるように制御する制御ステップとを有することを特徴とする。
【手続補正１０】
【補正対象書類名】明細書
【補正対象項目名】００４２
【補正方法】変更
【補正の内容】
【００４２】
また、上記第２の目的を達成するために、請求項２記載の記録再生装置の制御方法は、請求項１記載の記録再生装置の制御方法において、前記制御ステップは、前記動作モードが前記記録モードの場合、前記周期を他のモードのときに比べて短くなるように制御することを特徴とする。
【手続補正１１】
【補正対象書類名】明細書
【補正対象項目名】００４３
【補正方法】変更
【補正の内容】
【００４３】
また、上記第１の目的を達成するために、請求項３記載の記録再生装置の制御方法は、請求項１記載の記録再生装置の制御方法において、前記検知ステップは、前記記録媒体へ命令信号を前記所定の周期で送信し、前記命令信号に対する前記記録媒体からの応答の有無により前記記録媒体が装着されているか否かを検知することを特徴とする。
【手続補正１２】
【補正対象書類名】明細書
【補正対象項目名】００４４
【補正方法】変更
【補正の内容】
【００４４】
また、上記第１の目的を達成するために、請求項４記載の記録再生装置は、着脱可能な記録媒体に対して情報を記録再生する記録再生手段と、前記記録媒体が装着されているか否かを所定の周期で検知する検知手段と、前記記録媒体に対して情報を記録する記録モードと再生する再生モードとを含む複数の動作モードを設定する設定手段と、前記動作モードに応じて前記周期を異ならせるように前記検知手段を制御する制御手段とを有することを特徴とする。
【手続補正１３】
【補正対象書類名】明細書
【補正対象項目名】００４５
【補正方法】変更
【補正の内容】
【００４５】
また、上記第２の目的を達成するために、請求項５記載の記録再生装置は、請求項４記載の記録再生装置において、前記制御手段は、前記動作モードが記録モードの場合、前記周期を他のモードのときに比べて短くなるように前記検知手段を制御することを特徴とする。
【手続補正１４】
【補正対象書類名】明細書
【補正対象項目名】００４６
【補正方法】変更
【補正の内容】
【００４６】
また、上記第１の目的を達成するために、請求項６記載の記録再生装置は、請求項４記載の記録再生装置において、前記検知手段は、前記記録媒体へ命令信号を前記所定の周期で送信し、前記命令信号に対する前記記録媒体からの応答の有無により前記記録媒体が装着されているか否かを検知することを特徴とする。
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】変更
【補正の内容】
【００５１】
また、本発明の第３の目的を達成するために、請求項７記載の記録再生装置の制御方法は、着脱可能な記録媒体に対して情報を記録再生する記録再生ステップと、前記記録媒体が装着されているか否かを所定の周期で検知する検知ステップと、前記記録媒体が装着されている場合、前記周期を前記記録媒体が装着されていない場合に比べて短くなるように制御する制御ステップとを有することを特徴とする。
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】変更
【補正の内容】
【００５３】
また、本発明の第３の目的を達成するために、請求項８記載の記録再生装置は、着脱可能な記録媒体に対して情報を記録再生する記録再生手段と、前記記録媒体が装着されているか否かを所定の周期で検知する検知手段と、前記記録媒体が装着されている場合、前記周期を前記記録媒体が装着されていない場合に比べて短くなるように前記検知手段を制御する制御手段とを有することを特徴とする。
【手続補正２２】
【補正対象書類名】明細書
【補正対象項目名】００５４
【補正方法】削除
【補正の内容】
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】削除
【補正の内容】
【手続補正２５】
【補正対象書類名】明細書
【補正対象項目名】００５７
【補正方法】削除
【補正の内容】
【手続補正２６】
【補正対象書類名】明細書
【補正対象項目名】００５８
【補正方法】削除
【補正の内容】
【手続補正２７】
【補正対象書類名】明細書
【補正対象項目名】００５９
【補正方法】削除
【補正の内容】
【手続補正２８】
【補正対象書類名】明細書
【補正対象項目名】００６０
【補正方法】削除
【補正の内容】
【手続補正２９】
【補正対象書類名】明細書
【補正対象項目名】００６１
【補正方法】削除
【補正の内容】
【手続補正３０】
【補正対象書類名】明細書
【補正対象項目名】０１６０
【補正方法】変更
【補正の内容】
【０１６０】
【発明の効果】
以上詳述したように本発明の記録再生装置及びその制御方法によれば、動作モードに応じてカード検知頻度を適宜変更するので、例えば、カード検知専用の端子を持たないカードでも、消費電力をむやみに増大させることなく且つモード毎に適切なタイミングでカードの装着の有無を検知することが可能となり、カードが装着されていないことに気付いたりして、結果的に情報を記録する機会を逃してしまうなどの失敗を防ぐことが可能になる。
【手続補正３１】
【補正対象書類名】明細書
【補正対象項目名】０１６１
【補正方法】変更
【補正の内容】
【０１６１】
また、本発明の記録再生装置及びその制御方法によれば、例えば、カード再生モードでは、記録モード時よりカード検知頻度を低下させるので、上記効果に加えて、装置を制御するプログラム上の管理が合理的になり、プログラムサイズの削減が期待でき、結果的にシステムのコストを削減することが可能である。
【手続補正３２】
【補正対象書類名】明細書
【補正対象項目名】０１６２
【補正方法】削除
【補正の内容】
【手続補正３３】
【補正対象書類名】明細書
【補正対象項目名】０１６３
【補正方法】変更
【補正の内容】
【０１６３】
また、本発明の記録再生装置及びその制御方法によれば、例えば、装置本体に装着されている場合は、カード検知頻度を高くするので、カードが装着されているか否かでモードを区別するために装置を制御するプログラム上の管理が合理的になり、プログラムサイズの削減が期待でき、結果的にシステムのコストを削減することが可能である。
【手続補正３４】
【補正対象書類名】明細書
【補正対象項目名】０１６４
【補正方法】削除
【補正の内容】
【手続補正３５】
【補正対象書類名】明細書
【補正対象項目名】０１６５
【補正方法】削除
【補正の内容】